(57)【要約】 【課題】マグネシウム合金薄板の塑性加工において、プレス加工以外の成形方法を提供する。【解決手段】所定のマグネシウム合金薄板１を加熱して薄板全体を約均一に所定の温度に維持しながら、ＮＣ加工機に装着した加工工具３を以って常法の逐次加工を施してなるもので、特に加熱手段として前記薄板の両端に電極を配置して、通電によって発生するジュール熱を採用する。【選択図】  図１
2008126245.tif 000002
【特許請求の範囲】
【請求項１】
所定のマグネシウム合金薄板を加熱して薄板全体を約均一に所定の温度に維持しながら、ＮＣ加工機に装着した加工工具を以って常法の逐次加工を施してなることを特徴とするマグネシウム合金薄板の塑性加工方法。
【請求項２】
所定のマグネシウム合金薄板を適宜保持しながら前記薄板の両端に電極を配置して、通電によって発生するジュール熱を以って薄板全体を約均一に所定の温度に維持しながら、ＮＣ加工機に装着した加工工具を以って常法の逐次加工を施してなることを特徴とするマグネシウム合金薄板の塑性加工方法。
【請求項３】
耐熱性及び断熱性を兼ね備えたマンドレルを使用してなる請求項１又は２記載の何れかのマグネシウム合金薄板塑性加工方法。
【発明の詳細な説明】
【技術分野】
【０００１】
本発明は、マグネシウム合金薄板の加工方法に関するものである。
【背景技術】
【０００２】
マグネシウムは実用金属中最も軽量であるが、マグネシウム合金の結晶構造は最密六方晶であるため、常温での非底面滑りが起き難く、塑性加工処理を行うには、３００℃程度以上の温度が必要であると言われている。そこでマグネシウム合金薄板の塑性加工手段として、特許文献１（特開２００３−４８０２６号公報）には、予めブランク（マグネシウム合金薄板）を暖め、更にポンチや皺抑えやダイス側の金型に加熱機構を付設して所定の塑性加工（プレス加工）を行うことが開示されている。また特許文献２（特開２００３−６２６２７号公報）には、加工空間を密閉し金型を加熱しての加工が提案されている。
【０００３】
また一般の塑性加工において、多品種少数品の製造に適している手段として逐次成形法が知られている。その基本的手法は、特許文献３（特開２００１−３３４３１４号公報）に開示されているとおり、ブランクを適宜保持した状態で、ＮＣ加工機に取り付けられた工具でブランクに力を加え、工具の先端軌跡でブランクを所望の形状に加工するもので、必要に応じて前記加工に際してマンドレル（形成形状に対応した型）を使用するものである。
【０００４】
更に前記の逐次成形において、加工後の残留応力の問題を解決する手段として、加工箇所をレーザ照射したり、加熱工具を使用して、成形時の残留応力の発生を低減する手法が特許文献４（特開２００３−２３６６２６号公報）に開示されている。
【０００５】
また前記逐次成形加工において、成形時に加熱せずに、加工後にブランクへ熱風を噴射して加工歪を除去する手法が特許文献５（特開２００４−２９１０６７号公報）に開示されている。
【０００６】
更に金属薄板の塑性加工において、種々の目的を達成するためにブランクに通電して加熱する手法も知られている。例えば特許文献６（特開２００２−２４８５２５号公報）には、熱間プレス（構造用部材であるブランクの加工）において、ブランクに通電して６００〜１１００℃に加熱してプレス加工を行なう手法が開示されている。
【０００７】
また特許文献７（特開２００４−１０６０３５号公報）には、金属薄板の両端縁に電極を接続し、通電加熱を施す手段が開示されている。
【０００８】
【特許文献１】特開２００３−４８０２６号公報
【特許文献２】特開２００３−６２６２７号公報
【特許文献３】特開２００１−３３４３１４号公報
【特許文献４】特開２００３−２３６６２６号公報
【特許文献５】特開２００４−２９１０６７号公報
【特許文献６】特開２００２−２４８５２５号公報
【特許文献７】特開２００４−１０６０３５号公報
【発明の開示】
【発明が解決しようとする課題】
【０００９】
マグネシウム合金製品は、従前より鋳造品やその切削加工品が主力であり、前記した特許文献１，２に開示されている通り、近年において薄板のプレス加工が提案されている。即ちマグネシウム合金薄板の塑性加工としては、プレス加工の発想しかなかった。
【００１０】
然しマグネシウム合金薄板の塑性加工においてプレス加工には、周知のとおり、製出品形状に対応した形状のダイスとパンチを必要である。一方鋼薄板の組成加工としては一般的である逐次加工においては、ＮＣ加工機に取り付けた加工工具を所定のデータに基づいて動作させるので、ダイスやパンチを必要としない（複雑な構造の場合にはマンドレルを使用する）利点があり、多品種小量品の製造に最適である。
【００１１】
そこでマグネシウム合金薄板の塑性加工を逐次加工で実施しようとすると、マグネシウム合金薄板は常温下での塑性加工（冷間加工）は困難であり、所定の加熱を必要とするが、特許文献１に開示されているプレス加工時のブランクの予熱手段を採用しても加工途中で冷却してしまうし、特許文献２に開示されているとおり加工空間を密閉し所定温度の雰囲気下で実施することも可能であるが、設備の点から問題がある。
【００１２】
また逐次加工におけるブランクへの加熱手段が特許文献４，５に開示されているが、特許文献３記載のように、工具又は工具近傍の加熱手段は、塑性加工自体（ブランクの直接の変形）の対処でなく、加工歪（残留応力）の問題で、加工直後にブランクを加熱するもので、ブランク予熱状態での加熱ではない。また特許文献４記載の加熱も加工後の加熱であって、マグネシウム合金薄板の逐次加工には適用できない。
【００１３】
またブランクの加熱手段として特許文献６，７に示す通りブランクに通電して、発生したジュール熱を利用することも知られているが、従前の通電加熱は鋼材の熱間プレス加工を前提としたものであって、６００〜１１００℃の高温を前提としたもので、当該技術手段はそのままマグネシウム合金薄板加工には適用できない。
【００１４】
そこで本発明は、マグネシウム合金薄板の逐次加工を実現する新規な手法を提案したものである。
【課題を解決するための手段】
【００１５】
本発明に係るマグネシウム合金薄板の塑性加工方法は、所定のマグネシウム合金薄板を加熱して薄板全体を約均一に所定の温度に維持しながら、ＮＣ加工機に装着した加工工具を以って常法の逐次加工を施してなることを特徴とするもので、特に加熱手段として前記薄板の両端に電極を配置して、通電によって発生するジュール熱を採用したことを特徴とするものである。
【００１６】
従ってマグネシウム合金薄板が所定温度（塑性加工可能な温度２００〜３００℃前後）で保持されているので、常法とおりに所定の入力データ（形成すべき形状の三次元データ）に基づいて、加工工具を三次元移動させたり、同時にブランクを保持したテーブルをＸ−Ｙ平面上を移動させると、マグネシウム合金薄板の逐次成形による塑性加工が実現するものである。
【００１７】
また本発明に係るマグネシウム合金薄板塑性加工方法は、前記の逐次成型手段において、特に耐熱性及び断熱性を兼ね備えたマンドレルを使用してなることを特徴とするものである。
【００１８】
逐次加工において精密加工を施す場合にはマンドレルを採用しているが、断熱性のマンドレルを採用すると、加熱されたブランクからマンドレルに伝導する熱損失を減少させることができ、省エネに貢献することになる。
【発明の効果】
【００１９】
本発明は、上記のとおりマグネシウム合金薄板の塑性加工において、逐次成形を提案し実現したものであって、特にブランクへの通電加熱の採用によって逐次成形を、効率的に実施できたもので、マグネシウム合金薄板の塑性加工手段の選択幅を広げ、各種部品へのマグネシウム合金薄板の適用を拡大としたものである。
【発明を実施するための最良の形態】
【００２０】
次に本発明方法の実施について、以下の実証試験を行なった。実施装置は公知の逐次成形加工機で、ブランク１を保持するテーブル２と、加工工具３を装着したＮＣ加工機で構成され、特にブランク１の両縁に、その全辺に銅製電極を接続し、テーブル２に適宜な断熱絶縁体４で保持させ、前記電極には商用電源を変圧機で低電圧として接続して所定の電力供給を行なうようにしたものである。
【００２１】
ブランクとしては、ＡＺ３１Ｂ（Ａｌ：２．５〜３．５％、Ｚｎ：０．６〜１．４％、その他微量金属を含有）として販売されている２ｍｍ厚で３００ｍｍ×３００ｍｍの大きさとした薄板を使用した。
【００２２】
ブランク１の通電量と温度上昇の関係をチェックしたところ、図２に例示するとおり、２Ｖを印加し３５００Ａの通電によって、約３００秒経過からブランク全体が約３００℃（発生ジュール熱と自然放熱がバランスのとれた温度）に安定した。
【００２３】
従って後述するとおり、３００℃以下でも塑性加工が可能であり、合金のＡｌ・Ｚｎの含有量の差異による塑性加工性、ブランクの厚さ、電極間距離などの相違があるので、ブランクの設定温度に対応して適宜通電制御を行う。
【００２４】
逐次成形の可能性を確認するために、前記ブランク１を以って図３に例示した試作品Ａの成形を、成形温度と半頂角αをパラメータとして逐次成形を行なった。尚工具半径Ｒ＝５ｍｍ、潤滑剤として二硫化モリブテン乾性皮膜潤滑剤を使用した。
【００２５】
成形可能範囲は図４に示すとおりであった。この結果から、概ねブランク温度２００℃以上での成形が可能であることが確認され、ブランク温度と逐次成形限界に相関関係が認められ、更にブランク温度に関りなく逐次成形の成形形状の限界も認められた。
【００２６】
次に逐次加工においてマンドレルの使用についての実証試験として、図５に示すとおり、加工工具３の対向側に、図６に示すマンドレル５を配置して実施した。尚ブランク１はマグネシウム合金ＡＺ３１Ｂの板厚３ｍｍで、成形ピッチ（Ｚ方向螺旋状に成形）０．２ｍｍで実施した。
【００２７】
実施結果は、図７に示すとおりで、耐熱断熱性マンドレル（耐熱セメント製・石膏製）を採用した場合には、ブランク温度の制御で十分であるが、アルミ合金製のマンドレルを採用した場合には、マンドレル自体の加熱も必要であり、熱効率的には好ましくない。
【００２８】
以上のとおり、本発明は、マグネシウム合金薄板の逐次成形を実現し、マグネシウム合金薄板の使用分野の拡大に貢献するものである。
【図面の簡単な説明】
【００２９】
【図１】本発明の実施装置の概略図。
【図２】同通電時間とブランク温度の関係を示すグラフ図。
【図３】同実証用成形モデルの説明図。
【図４】同成形可否の結果表。
【図５】同マンドレルを使用する実施装置の概略図。
【図６】同実証用マンドレルモデルの説明図。
【図７】同マンドレル使用時の成形可否の結果表。
【符号の説明】
【００３０】
１      ブランク
２      テーブル
３      加工工具
４      断熱絶縁体
５      マンドレル
【図１】
2008126245.tif 000003
【図２】
2008126245.tif 000004
【図３】
2008126245.tif 000005
【図４】
2008126245.tif 000006
【図５】
2008126245.tif 000007
【図６】
2008126245.tif 000008
【図７】
2008126245.tif 000009